(57)【要約】【課題】スマートフォンやパソコンなどの操作に不慣れたユーザであっても容易に消費電力等の情報を確認することが可能となる分電盤を提供する。【解決手段】分電盤１は、一次側にて系統電源と接続する主幹ブレーカ１２と、主幹ブレーカの二次側に接続された複数の分岐ブレーカ１４とを収納する本体１０と、本体を覆う蓋２０とを有する。蓋２０は、電力計１００からの情報を受信する通信部２４と、通信部で受信した情報を処理する制御部２５と、制御部により処理された情報を表示する表示部２３とを備える。【選択図】図１Ａ
2015070758.tif 000002
【特許請求の範囲】
【請求項１】
一次側にて系統電源と接続する主幹ブレーカと、前記主幹ブレーカの二次側に接続された複数の分岐ブレーカとを収納する本体と、
前記本体を覆う蓋と、を有し、
前記蓋は、
外部の電力量計から情報を受信する通信部と、
前記通信部で受信した情報を処理する制御部と、
前記制御部により処理された情報を表示する表示部とを備える
分電盤。
【請求項２】
前記本体は、電力を供給するための給電用接点を有し、
前記蓋は、前記本体に対して前記蓋が閉じられたときに前記給電用接点と接触して前記給電用接点から電力を受けるための受電用接点を有する、
請求項１記載の分電盤。
【請求項３】
前記本体は、電力を非接触方式で給電するための給電用電極を有し、
前記蓋は、前記給電用電極から非接触方式で電力を受電するための受電用電極を有する
請求項１または２記載の分電盤。
【請求項４】
前記蓋は、前記本体から受けた電力を蓄電する蓄電部をさらに備え、
前記本体からの電力供給が停止した時に前記蓄電部から前記表示部に電力が供給される、請求項１または２記載の分電盤。
【請求項５】
一次側にて系統電源と接続する主幹ブレーカと、
前記主幹ブレーカの二次側に接続された複数の分岐ブレーカと、
外部の電力量計から情報を受信する通信部、前記通信部で受信した情報を処理する制御部、及び前記制御部により処理された情報を表示する表示部を含む表示ユニットと
を備え、
前記表示ユニットは分岐ブレーカが取り付けられる領域に配置される
分電盤。
【請求項６】
前記主幹ブレーカ、前記分岐ブレーカ、前記制御部、及び前記表示ユニットを収納する本体と、
前記本体に対して開閉可能に取り付けられた蓋と
前記蓋の開閉を検知する検知部と
をさらに備えた請求項５記載の分電盤。
【請求項７】
電力を蓄電する蓄電部をさらに備え、
前記系統電源からの電力供給が停止した時に前記蓄電部から前記表示ユニットに電力が供給される、請求項５または６記載の分電盤。
【請求項８】
前記分岐ブレーカ毎にＬＥＤを設け、
前記表示部は、点灯したＬＥＤに対応する分岐ブレーカに関連した情報を表示する
請求項１から７のいずれかに記載の分電盤。
【請求項９】
人の存在を検知する検知部をさらに備え、
前記制御部は、前記検知部が人の存在を検知したときに前記表示部に情報を表示させる、
請求項１から７のいずれかに記載の分電盤。
【請求項１０】
分電盤の本体に取り付けられる蓋であって、
所定の情報を表示する表示ユニットと、
前記本体から前記表示ユニットを駆動するための電力を受ける受電部とを備えた
分電盤の蓋。
【発明の詳細な説明】
【技術分野】
【０００１】
本発明は、情報を表示可能な分電盤に関する。
【背景技術】
【０００２】
近年、ＨＥＭＳ（Home Energy Management System）やスマート家電などが一般家庭にも普及しつつあり、ユーザにおいて省エネ意識が高まりつつある。このような省エネ意識の高まりにともない、宅内での消費電力等の情報をユーザが視覚的に確認できるようにする装置も種々開発されている。今後益々、宅内での消費電力等の情報をユーザに容易に報知する装置が望まれると考えられる。
【０００３】
一方、一般家庭においては、電力会社から供給される電力を引き込む装置として分電盤が設置されている。分電盤は、電力会社からの電力を分岐して宅内の各部屋または電気機器に供給するとともに、過電流が流れたときに電流経路を遮断する機能を有する（例えば、特許文献１等参照）。
【先行技術文献】
【特許文献】
【０００４】
【特許文献１】特開２０１１−５５５６５号公報
【特許文献２】特開２００９−１３１０１０号公報
【特許文献３】特開２００９−２０７２３７号公報
【発明の概要】
【発明が解決しようとする課題】
【０００５】
従来、分電盤中に流れる電流状態を外部に報知する手段としてＬＥＤ（発光ダイオード）を内蔵した分電盤がある。そのような分電盤では、電力量または電流が一定値を超えたか否かの二値的な情報の表示しか行えず、より詳細な情報を得ることはできなかった。
【０００６】
また、ユーザに情報を提示する手段として、スマートフォンやパソコンなどにインターネット経由でデータを転送し、表示することが考えられる。しかし、スマートフォンのアプリ操作やパソコンのブラウザ操作に不慣れなユーザも数多く存在し、そのようなユーザにとって、スマートフォンやパソコンなどの手段で提示された情報を確認することは非常な手間を伴い、また操作が困難な場合もある。
【０００７】
本発明は、スマートフォンやパソコンなどの操作に不慣れたユーザであっても容易に消費電力等の情報を確認することが可能となる分電盤を提供することを目的とする。
【課題を解決するための手段】
【０００８】
本発明に係る第一の分電盤は、一次側にて系統電源と接続する主幹ブレーカと、主幹ブレーカの二次側に接続された複数の分岐ブレーカとを収納する本体と、本体を覆う蓋と、を有する。蓋は、外部の電力量計から情報を受信する通信部と、通信部で受信した情報を処理する制御部と、制御部により処理された情報を表示する表示部とを備える。
【０００９】
第一の分電盤において、本体は、電力を供給するための給電用接点を有してもよい。蓋は、本体に対して蓋が閉じられたときに給電用接点と接触して給電用接点から電力を受けるための受電用接点を有してもよい。
【００１０】
または、本体は、電力を非接触方式で給電するための給電用電極を有してもよい。蓋は、給電用電極から非接触方式で電力を受電するための受電用電極を有しえもよい。
【００１１】
蓋は、本体から受けた電力を蓄電する蓄電部をさらに備えてもよい。本体からの電力供給が停止した時に、蓄電部から表示部に電力が供給されるようにしてもよい。
【００１２】
本発明に係る第二の分電盤は、一次側にて系統電源と接続する主幹ブレーカと、主幹ブレーカの二次側に接続された複数の分岐ブレーカと、外部の電力量計から情報を受信する通信部、通信部で受信した情報を処理する制御部、及び制御部により処理された情報を表示する表示部を含む表示ユニットとを備える。表示ユニットは分岐ブレーカが取り付けられる領域に配置される。
【００１３】
第二の分電盤において、主幹ブレーカ、分岐ブレーカ、制御部及び表示ユニットを収納する本体と、本体に対して開閉可能に取り付けられた蓋と、蓋の開閉を検知する検知部とをさらに備えてもよい。
【００１４】
さらに、電力を蓄電する蓄電部を備えてもよい。系統電源からの電力供給が停止した時に蓄電部から表示ユニットに電力が供給される。
【００１５】
上記の分電盤において、分岐ブレーカ毎にＬＥＤを設けてもよい。そして、表示部は、点灯したＬＥＤに対応する分岐ブレーカに関連した情報を表示してもよい。
【００１６】
上記の分電盤において、人の存在を検知する検知部をさらに備えてもよい。そして、制御部は、検知部が人の存在を検知したときに表示部に情報を表示させてもよい。
【００１７】
本発明に係る分電盤の蓋は、分電盤の本体に取り付けられる蓋であって、所定の情報を表示する表示ユニットと、本体から表示ユニットを駆動するための電力を受ける受電部とを備える。
【発明の効果】
【００１８】
本発明の分電盤は電力等の情報を表示する表示ユニットを備える。これにより、ユーザは分電盤に設けられた表示ユニットを確認することで、スマートフォン等の情報機器を用いずに容易に電力等の情報を確認することができるようになる。
【図面の簡単な説明】
【００１９】
【図１Ａ】本発明に係る分電盤の実施の形態１の構成を示した図
【図１Ｂ】分岐ブレーカの構成を示した図
【図２】表示ユニットにおける電力表示の例を示した図
【図３】分岐ブレーカに対応して配置されたＬＥＤを備えた分電盤の蓋を示した図
【図４】ＬＥＤを備えた分電盤の蓋の構成を示した図
【図５】分電盤の本体と蓋との間で接点を介して電力送電を行う分電盤の構成を示した図
【図６Ａ】接点を有する給電部の斜視図
【図６Ｂ】分電盤本体において給電部の取り付け状態を説明した図
【図７】非接触給電により分電盤の本体と蓋との間で電力送電を行うための分電盤の構成を示した図
【図８】蓄電部を有する蓋を備えた分電盤の構成を示した図
【図９】人を検知するセンサ部を有する蓋を備えた分電盤の構成を示した図
【図１０】本発明にかかる分電盤の実施の形態２の構成を示した図
【図１１】分電盤本体内における表示ユニットの取り付け状態を説明するための図
【図１２】蓋の開閉を検出する開閉センサを有する表示ユニットを備えた分電盤の構成を示した図
【図１３】分岐ブレーカ毎にＬＥＤを有する分電盤の構成を示した図
【図１４】ＬＥＤを有する分岐ブレーカの斜視図
【図１５】分岐ブレーカ毎にＬＥＤを有する分電盤の別の構成を示した図
【発明を実施するための形態】
【００２０】
以下、添付の図面を参照して本発明に係る表示機能付き分電盤の実施の形態を説明する。
【００２１】
（実施の形態１）
以下、本発明に係る表示機能付き分電盤の実施形態として、本体に表示ユニットを取り付けた分電盤の構成例についていくつか説明する。
【００２２】
（１）構成例１
図１Ａは、本発明に係る表示機能付き分電盤の一実施形態の構成を示した図である。分電盤１は、電力線を介して系統電源から電力を受け、受けた電力を宅内の部屋や機器に分配して送る装置である。分電盤１に電力を供給する電力線には、通信機能を有し、分電盤１が接続された宅内の消費電力を計測するスマートメータ（通信機能付き電力量計）１００が接続されている。なお、図示していないが、分電盤１は宅内の機器を制御するＨＥＭＳを内部に備える。このＨＥＭＳは分電盤１の外部に設けてもよい。
【００２３】
分電盤１は、本体１０と、本体１０を覆う蓋２０とで構成される。分電盤１の本体１０は、その筐体内側の収納スペースに、系統電源の電力線に接続された主幹ブレーカ１２と、宅内の部屋や機器毎に設けられた複数の分岐ブレーカ１４と、種々の配線とを備える。主幹ブレーカ１２は、宅内に流れる電流の合計が所定値を超えたときに電流経路を遮断する装置である。分岐ブレーカ１４は宅内の部屋や機器毎に流れる電流が、所定の電流値を超えたときに電流経路を遮断する装置である。本体１０の筐体には導電バー１６が配置されている。導電バー１６はＬ１相、Ｌ２相、Ｎ相の相毎に設けられ、系統電源の電力線に接続されている。主幹ブレーカ１２および分岐ブレーカ１４は導電バー１６に電気的に接続される。この導電バー１６に系統電源から宅内に引き込まれた交流電力が供給され、導電バー１６を介して各分岐ブレーカ１４に電力が供給される。
【００２４】
分電盤１の蓋２０は、安全上また美観の観点から、本体１０内のブレーカ１２、１４や電気配線等を覆い隠すための部材である。本実施形態では、分電盤１の蓋２０において、消費電力等に関する情報を表示するための表示ユニット２１が備え付けられている。
【００２５】
表示ユニット２１は所定の情報を表示する装置であり、例えば、消費電力や電気料金等の情報を表示する。表示ユニット２１は、電源部２２と、表示部２３と、通信部２４と、制御部２５とを含む。表示ユニット２１は、蓋２０の裏面または蓋２０の内部に設けられる。
【００２６】
表示ユニット２１において、電源部２２は分電盤１の本体１０から電源の供給を受け、表示ユニット２１の各部を駆動するための電圧を生成する。
【００２７】
通信部２４は、無線やＰＬＣ（Power Line Communication）通信により分岐ブレーカ１４と通信を行う。このため、分岐ブレーカ１４は通信機能を有する（分岐ブレーカ１４の詳細な構成は後述）。表示ユニット２１は、分岐ブレーカ１４との通信により、分岐ブレーカ１４毎に消費電力の情報を取得する。なお、通信部２４は、分岐ブレーカ１４に加えて主幹ブレーカ１２とも通信を行い、消費電力に関する情報を取得してもよい。また、表示ユニット２１は、宅内または分電盤内に設置されたＨＥＭＳ（図示せず）や、スマートメータ１００と通信する機能を備えてもよい。
【００２８】
表示部２３は情報を表示する装置であり、例えば、液晶表示装置（LCD）、有機ＥＬ表示装置、電子ペーパー、コレステリックＬＣＤで構成される。
【００２９】
制御部２５は、表示ユニット２１全体の動作を制御する装置（回路）である。制御部２５は通信部２４が受信した電力情報を処理し、表示部２３に表示させる。制御部２５は、ＣＰＵで構成され、所定のプログラムによりその機能を実現してもよいし、または、所定の機能を実現するよう設計されたハードウェア回路で構成されてもよい。
【００３０】
図１Ｂは、本実施形態の分岐ブレーカ１４の構成を示した図である。分岐ブレーカ１４は、過電流が流れたときに電流経路を遮断する機能に加えて、分岐ブレーカに流れる電流を計測する機能と、計測した結果を送信する機能とを備えている。分岐ブレーカ１４は、一般的なブレーカ機能（過電流が流れたときの電流経路遮断機能）を実現するための構成５０と、電源部５１と、通信部５２と、電力計測部５４とを備えている。電源部５１は、分岐ブレーカ内の各機能部５２〜５４に供給する電源電圧を生成する。電力計測部５４は分岐ブレーカに流れる電力を計測する装置（素子）であって、例えば、ロゴスキーコイル、カレントトランス、ホール素子等で構成することができる。通信部５２は、計測した電力の値を示す情報を表示ユニット２１ａに送信する。
【００３１】
図２に、表示ユニット２１の表示部２３で表示される情報の例を示す。図２の例では、分岐ブレーカ１４毎の消費電力と、合計の消費電力、目安の電気料金等を表示している。
【００３２】
以上のように、本実施形態の分電盤１は蓋２０において消費電力等を表示可能な表示ユニット２１を備えている。このため、使用者は分電盤１の表示を確認することで容易に現在の宅内の消費電力の状況等を把握することができる。すなわち、使用者はスマートフォン、ＰＣ等を介さず容易に情報を確認することができる。
【００３３】
（２）構成例２
図３は、分電盤の蓋２０において、分岐ブレーカ１４毎にＬＥＤ（発光ダイオード）２７を設けた構成を示した図である。蓋２０に設けられたＬＥＤ２７の配置は、本体１０に取り付けられた分岐ブレーカ１４の配置と対応している。ＬＥＤ２７は、表示部２３に表示されている情報がどの分岐ブレーカ１４に関するものかを示す。すなわち、表示部２３に表示されている情報に関連する分岐ブレーカ１４に対応するＬＥＤ２７が点灯する。例えば、上段の左から１番目の分岐ブレーカの情報が表示部２３において表示されているときは、蓋２０において設けられた上段の左から１番目のＬＥＤが点灯する。
【００３４】
図４は、蓋２０にＬＥＤ２７を設けた分電盤の構成を示した図である。蓋２０は、図１Ａに示す蓋２０の構成に加えて、分岐ブレーカ毎に設けられた複数のＬＥＤ２７と、各ＬＥＤ２７の点灯／非点灯を制御するＬＥＤ駆動部２６をさらに備えている。ＬＥＤ駆動部２６は制御部２５からの制御を受けて、表示部２３に情報が表示されている分岐ブレーカ１４に対応したＬＥＤ２７を点灯させる。
【００３５】
この構成により、使用者は、分岐ブレーカ毎に設けられたＬＥＤの点灯を確認することで、表示部２３に表示されている情報がいずれの分岐ブレーカに関するものかを容易に把握することができる。
【００３６】
（３）構成例３
分電盤１の本体１０から蓋２０への電源を供給する手段について具体的に説明する。
【００３７】
図５は、分電盤１の本体１０から蓋２０への電源を供給する手段の一構成例を示した図である。本体１０において、給電用接点（端子）１９aを有する給電部１９を設ける。また、蓋２０においても、受電用接点（端子）２９aを有する受電部２９を設ける。
【００３８】
給電部１９は、分岐ブレーカ１４と同様に過電流遮断機能を有している。給電部１９は、分岐ブレーカ１４と同様の接続端子を備え、導電バー１６に電気的に接続できるようになっている。図６Ａに受電部１９の外観を示す。給電部１９は、一対の接点１９ａと、分岐ブレーカ１４の接続端子と同様の形状を有する接続端子１９ｃとを備えている。
【００３９】
給電部１９の給電用接点１９aと受電部２９の受電用接点２９aとは、蓋２０を本体１０に対して閉じたときに電気的に接触するように互いに対向する位置に設けられる。これにより、蓋２０を本体１０に対して閉じたときに、給電部１９から受電部２９へ電力が供給される。
【００４０】
図６Ｂは、本体１０の筐体における分岐ブレーカ１４が接続される領域に給電部１９が接続されている様子を説明した図である。給電部１９は、本体１０における分岐ブレーカが本来接続される領域Ａ中の分岐ブレーカが使用されていない空き領域において、導電バー１６に接続される。このため、分岐ブレーカが使用されていない領域の位置に応じて蓋２０における受電部２９の位置が自由に変更できるように構成されていることが好ましい。
【００４１】
以上の構成により、分電盤本体１０から蓋２０に設けられた表示ユニット２１へ電力を供給することができる。
【００４２】
なお、給電部１９が、交流電圧を直流電圧に変換する変換回路を備え、直流電圧を給電するようにしてもよい。または、給電部１９は系統電源からの交流電圧をそのまま給電してもよい。この場合は、表示ユニット２１の受電部２９側において、交流電圧を直流電圧に変換する変換回路を設ければよい。
【００４３】
（４）構成例４
図７は、分電盤１の本体１０から蓋２０への電源を供給する手段の別の構成例を示した図である。図７では、非接触方式で給電を行う構成を示している。非接触給電の方法としては、電磁誘導方式及び電界結合方式等が利用できる。
【００４４】
本体１０において、非接触給電部４２を設ける。非接触給電部４２は非接触方式で電力を給電するための電極を備えている。非接触給電部４２は分岐ブレーカ１４と同様に過電流遮断機能を有している。また、非接触給電部４２は分岐ブレーカ１４と同様の接続端子を有し、本体１０において非接触給電部４２の接続端子が導電バー１６に電気的に接続される。
【００４５】
蓋２０においては、非接触受電部３２を設ける。非接触受電部３２は非接触方式で電力を受電するための電極を備えている。非接触給電部４２の電極と非接触受電部３２の電極とは、本体１０に対して蓋２０を閉じたときに互いに対向するように配置される。
【００４６】
この構成によっても、分電盤本体１０から蓋２０に設けられた表示ユニット２１へ電力を供給することができる。
【００４７】
（５）構成例５
図８は、図５に示す構成にさらに電力を蓄える蓄電部３１を備えた構成を示す。蓄電部３１は例えばリチウムイオン電池やニッケル水素電池のような二次電池で構成できる。この蓄電部３１は、系統電源からの電力が正常に供給されている間に充電される。過電流等の要因によりブレーカ１２、１４がトリップし、分電盤の本体１０から蓋２０への電力供給が停止した場合、蓄電部３１から表示ユニット２１の各部へ電力を供給する。
【００４８】
この構成により、過電流等の要因によりブレーカ１２、１４がトリップした後であっても、蓄電部３１から電力が供給されるため、しばらくの間、表示部２３での電力量表示が可能となる。これにより、使用者はトリップ前後の電力使用状態を確認することができる。なお、図７に示す構成においても、蓄電部１１を設けることができる。
【００４９】
（６）構成例６
図９は、図５に示す構成にさらに、人の存在を検知するセンサ部３３を備えた構成を示す。センサ部３３は例えば、赤外線センサ、温度センサ等のセンサで構成できる。または、センサ部３３は、画像を撮像する撮像装置と、撮像した画像を解析する画像処理回路とで構成することができる。この場合、センサ部３３は分電盤１の近傍を撮像した画像を解析して人の存在を検出する。
【００５０】
センサ部３３は分電盤１の近くに人が存在していることを検出すると、その旨を示す検出信号を制御部２５に送信する。制御部２５はセンサ部３３から人の存在を示す検出信号を受けると、表示部２３をオンして情報を表示させる。一方、センサ部３３から人の存在を示す検出信号を受けていないときは、制御部２５は表示部２３をオフして情報を表示させない。このように分電盤の近くに人が存在するときのみ、表示部２３に情報を表示させるようにすることで、無駄な表示動作を防止でき、省電力化が図れる。
【００５１】
以上、本実施形態では、分電盤１の蓋２０に表示ユニット２１を設ける。ユーザは分電盤１に設けられた表示ユニット２１の表示を確認することで、スマートフォン等の情報機器を用いずに容易に電力等の情報を確認することができる。また、蓋を取り替えるだけで、分電盤に表示機能を容易に付加することができ、分電盤に対する表示機能の付加作業を軽減できる。
【００５２】
（実施の形態２）
前述の実施の形態では、表示ユニット２１を分電盤１の蓋２０側に設けた構成を説明した。これに対して、本実施形態では、表示ユニット２１を本体１０側に設けた構成例をいくつか説明する。
【００５３】
（１）構成例１
図１０（ａ）に表示ユニットを分電盤の本体側に設けた構成を示す。よって、蓋２０は表示ユニットを備えていない。
【００５４】
図１０（ｂ）に表示ユニット２１ａの構成を示す。表示ユニット２１ａは、分岐ブレーカ単位で消費電力に関する情報を表示する装置である。表示ユニット２１ａは、電源部２２と、表示部２３と、通信部２４と、制御部２５とを含む。電源部２２は、系統電源から供給される交流電圧を所定の直流電圧に変換し、分岐ブレーカ内の各機能部に供給する電源電圧を生成する。通信部２４は各分岐ブレーカ１４内で計測された電力量の情報を受信する。制御部２５は、通信部２４により受信された電力量の情報を処理し表示用の情報を生成する。表示部２３は、制御部２５により生成された情報を表示する。
【００５５】
表示ユニット２１ａは本体１０内において導電バー１６に接続され、導電バー１６から電力の供給を受けて動作する。図１１は、本体１０の導電バーに表示ユニット２１ａが接続された様子を説明した図である。表示ユニット２１ａは導電バー１６に接続するための接続端子を有しており。分電盤の本体１０における分岐ブレーカの接続領域中の分岐ブレーカが使用されていない領域に接続される。
【００５６】
本構成によれば、分電盤の本体１０の分岐ブレーカの配置領域における空き領域に表示ユニット２１ａを挿入することができる。これにより、分電盤における電力情報等の表示が可能となる。また、表示ユニット２１ａは導電バーに接続可能となっていることから、表示ユニット用の電源を容易に確保することができる。
【００５７】
（２）構成例２
図１２（ａ）は、図１０に示す構成に加えてさらに蓋の開閉を検出する開閉センサを備えた分電盤の構成を示した図である。
【００５８】
図１２（ｂ）に示すように表示ユニット２１ｂは蓋２０の開閉を検出する開閉センサ４３を備える。制御部２５は、開閉センサ４３の検出信号に基づいて表示部２３の表示のオン／オフを制御する。具体的には、制御部２５は、開閉センサ４３の検出信号に基づいて蓋２０が開であると検出したときに、表示部２３をオンして消費電力に関する情報を表示させる。一方、開閉センサ４３の検出信号に基づいて蓋２０が閉であると検出したときは、制御部２５は表示部２３をオフして情報を表示させない。
【００５９】
このように蓋２０の開閉に応じて表示部２３の表示のＯＮ／ＯＦＦを制御することで、表示部の表示を確認できる蓋の開状態のときのみ、表示部２３で情報を表示させることができ、省電力化が図れる。なお、開閉センサ４３の思想については、本実施形態の他の構成例においても適用することができる。
【００６０】
（３）構成例３
図１３は、分電盤の本体１０において、分岐ブレーカ毎にＬＥＤを設けた分電盤の構成を示した図である。各分岐ブレーカ１４ｂはＬＥＤを備えている。
【００６１】
図１３（ｂ）にＬＥＤ５５を備えた分岐ブレーカ１４ｂの詳細な構成を示す。分岐ブレーカ１４ｂは、一般的なブレーカ機能（過電流が流れたときの電流経路遮断機能）を実現するための構成に加えて、電源部５１と、通信部５２と、電力計測部５４と、ＬＥＤ５５と、ＬＥＤ駆動部５６とを備えている。
【００６２】
電源部５１は、系統電源からの交流電圧を直流電圧に変換し、分岐ブレーカ内の各機能部に供給する電源電圧を生成する。電力計測部５４は分岐ブレーカ１４ｂに流れる電力量を計測する装置（素子）であって、例えば、ロゴスキーコイル、カレントトランス、ホール素子等で構成することができる。電力計測部５４により計測された電力量を示す情報は通信部５２を介して表示ユニット２１ａに送信される。表示ユニット２１ａは、受信した情報に基づいた表示を行う。
【００６３】
一方、表示ユニット２１ａは表示部２３に表示させている情報に関連した分岐ブレーカ１４ｂに対してＬＥＤを点灯させるよう点灯指示を送信する。分岐ブレーカ１４ｂのＬＥＤ駆動部５６は、表示ユニット２１ａから点灯指示を受信すると、ＬＥＤ５５を点灯させる。
【００６４】
図１４は、分岐ブレーカ１４ｂの外観を示した図である。分岐ブレーカ１４ｂは導電バー１６と電気的に接続するための端子１４ｃおよびＬＥＤ５５とを有している。
【００６５】
以上の構成によれば、使用者は、分岐ブレーカ１４ｂ毎に設けられたＬＥＤ５５の点灯を確認することで、表示ユニット２１ａに表示されている情報がいずれの分岐ブレーカに対するものかを容易に把握することができる。
【００６６】
（４）構成例４
図１３の構成では、ＬＥＤは分岐ブレーカ内に設けられていたが、ＬＥＤは分岐ブレーカの外付けでもよい。例えば、図１５（ａ）に示すように、複数のＬＥＤ５５を備えたＬＥＤユニット４５を設けてもよい。図１５（ｂ）に、ＬＥＤユニット４５の構成を示す。ＬＥＤユニット４５は、分岐ブレーカ１４に対応して設けた複数のＬＥＤ５５と、ＬＥＤ５５の点灯／非点灯を制御するＬＥＤ駆動部６４と、表示ユニット２１ａと通信を行う通信部６３とを備える。
【００６７】
表示ユニット２１ａは、表示部２３に表示させている情報に関連する分岐ブレーカに対応したＬＥＤを点灯させるための指示をＬＥＤユニット４５に対して通信部２５を介して点灯指示を送信する。ＬＥＤユニット４５において、通信部６３は表示ユニット２１ａから点灯指示を受信し、ＬＥＤ駆動部６４は点灯指示に基づき１つのＬＥＤ５５を点灯させる。
【００６８】
この構成によっても、使用者は、分岐ブレーカ１４ｂ毎に設けられたＬＥＤ５５の点灯を確認することで、表示ユニット２１ａに表示されている情報がいずれの分岐ブレーカに対するものかを容易に把握することができる。
【００６９】
以上のように、本実施形態では、分電盤１の本体１０内に表示ユニット２１ａを設置する。ユーザは分電盤１に設けられた表示ユニット２１ａを確認することで、スマートフォン等の情報機器を用いずに容易に電力等の情報を確認することができる。また、蓋を取り替えるだけで、分電盤に表示機能を容易に付加することができ、分電盤に対する表示機能の付加作業を軽減できる。
【００７０】
（その他の実施の形態）
実施の形態２の各構成例において、実施の形態１（図８）で示した蓄電部３１を設けても良い。蓄電部を設けることで、過電流等の要因によりブレーカ１２、１４がトリップした後であっても、しばらくの間、表示部２３での電力量表示が可能となる。これにより、使用者はトリップ前後の電力使用状態を確認することができる。
【００７１】
実施の形態２の各構成例において、実施の形態１（図９）で示した人を検知するセンサ部３３を設けても良い。これにより、分電盤１の近くに人が存在するときのみ、表示部２３に情報を表示させることができ、無駄な表示動作を防止でき、省電力化が図れる。
【００７２】
上記の実施形態の各構成例で示した特徴的な構成は、他の構成例と適宜組み合わせることが可能である。
【００７３】
（まとめ）
上記実施形態は以下の分電盤等を開示している。
【００７４】
（１）第１の分電盤１は、一次側にて系統電源と接続する主幹ブレーカ１２と、主幹ブレーカの二次側に接続された複数の分岐ブレーカ１４とを収納する本体１０と、本体を覆う蓋２０と、を有する。蓋２０は、外部の電力量計１００から情報を受信する通信部２４と、通信部で受信した情報を処理する制御部２５と、制御部により処理された情報を表示する表示部２３とを備える。
【００７５】
（２）（１）の分電盤において、本体１０は、電力を供給するための給電用接点１９ａを有してもよい。蓋２０は、本体に対して蓋が閉じられたときに給電用接点と接触して給電用接点から電力を受けるための受電用接点２９ａを有してもよい。
【００７６】
（３）（１）または（２）の分電盤１において、本体１０は、電力を非接触方式で給電するための給電用電極４２を有してもよい。蓋２０は、給電用電極から非接触方式で電力を受電するための受電用電極３２を有してもよい。
【００７７】
（４）（１）または（２）の分電盤１において、蓋２０は、本体１０から受けた電力を蓄電する蓄電部３１をさらに備えてもよい。本体１０からの電力供給が停止した時に蓄電部３１から表示部２３に電力が供給されてもよい。
【００７８】
（５）第２の分電盤１は、一次側にて系統電源と接続する主幹ブレーカ１２と、主幹ブレーカの二次側に接続された複数の分岐ブレーカ１４と、外部の電力量計１００から情報を受信する通信部２４、通信部で受信した情報を処理する制御部２５、及び制御部により処理された情報を表示する表示部２３を含む表示ユニット２１ａとを備える。表示ユニット２１ａは分岐ブレーカ１４が取り付けられる領域に配置される。
【００７９】
（６）（５）の分電盤において、主幹ブレーカ、分岐ブレーカ、制御部、及び前記表示ユニットを収納する本体１０と、本体に対して開閉可能に取り付けられた蓋２０と、蓋の開閉を検知する検知部４３とをさらに備えてもよい。
【００８０】
（７）（５）または（６）の分電盤において、電力を蓄電する蓄電部３１をさらに備えてもよい。系統電源からの電力供給が停止した時に蓄電部から表示ユニットに電力が供給されてもよい。
【００８１】
（８）（１）〜（７）のいずれかの分電盤において、分岐ブレーカ毎にＬＥＤ２７、５５を設けてもよい。表示部２３は、点灯したＬＥＤに対応する分岐ブレーカに関連した情報を表示してもよい。
【００８２】
（９）（１）〜（７）のいずれかの分電盤において、分電盤は、人の存在を検知する検知部３３をさらに備えてもよい。制御部２５は、検知部が人の存在を検知したときに表示部に情報を表示させてもよい。
【００８３】
（１０）分電盤１の本体１０に取り付けられる蓋２０は、所定の情報を表示する表示ユニット２１と、本体から表示ユニットを駆動するための電力を受ける受電部２９とを備える。
【符号の説明】
【００８４】
１  分電盤
１０  分電盤の本体
１２  主幹ブレーカ
１４  分岐ブレーカ
１６  導電バー
２０  分電盤の蓋
２１、２１ａ  表示ユニット
２２  表示ユニットの電源部
２３  表示部
２４  表示ユニットの通信部
２７、５５  ＬＥＤ
２５  表示ユニットの制御部
３１  蓄電部
３３  センサ部
５０  過電流遮断回路
５１  分岐ブレーカの電源部
５２  分岐ブレーカの通信部
５３  分岐ブレーカの制御部
５４  電力計測部
１００  スマートメータ（通信機能付き電力量計）
【図１Ａ】
2015070758.tif 000003
【図１Ｂ】
2015070758.tif 000004
【図２】
2015070758.tif 000005
【図３】
2015070758.tif 000006
【図４】
2015070758.tif 000007
【図５】
2015070758.tif 000008
【図６Ａ】
2015070758.tif 000009
【図６Ｂ】
2015070758.tif 000010
【図７】
2015070758.tif 000011
【図８】
2015070758.tif 000012
【図９】
2015070758.tif 000013
【図１０】
2015070758.tif 000014
【図１１】
2015070758.tif 000015
【図１２】
2015070758.tif 000016
【図１３】
2015070758.tif 000017
【図１４】
2015070758.tif 000018
【図１５】
2015070758.tif 000019